(57)【特許請求の範囲】
【請求項１】
燃焼部と、熱交換部を内蔵し、内部の熱交換部が外部の暖房端末と接続されて一連の循環回路を形成する燃焼装置において、内部の熱交換部から外部の暖房端末に熱媒体を流す熱媒体往き側配管の一部に流路を断続する往き側断続弁が設けられ、さらに往き側断続弁の下流側が分岐されていて分岐側の流路を開閉する往き側分岐弁が設けられ、外部の暖房端末側から内部の熱交換部に熱媒体を戻す熱媒体戻り側配管の一部には流路を断続する戻り側断続弁が設けられ、さらに戻り側断続弁の上流側が分岐されていて分岐側の流路を開閉する戻り側分岐弁が設けられていることを特徴とする燃焼装置。
【請求項２】
往き側断続弁の下流側が分岐されて形成された分岐側の流路、及び戻り側断続弁の上流側が分岐されて形成された分岐側の流路は、端部がいずれも燃焼装置内にあることを特徴とする請求項１に記載の燃焼装置。
【請求項３】
燃焼装置本体部と当該燃焼装置本体部を支持する架台部を有し、燃焼装置本体部側には燃焼部と、熱交換部と、熱媒体往き側接続口及び熱媒体戻り側接続口が設けられ、架台部側には前記熱媒体往き側接続口及び熱媒体戻り側接続口と外部の暖房端末を接続する配管が配された燃焼装置において、前記架台内に熱媒体往き側接続口と外部の暖房端末に接続する端末往き側接続口を有する往き側内部配管が設けられ、さらに前記架台内には熱媒体戻り側接続口と外部の暖房端末に接続する端末戻り側接続口を有する戻り側内部配管が設けられ、前記往き側内部配管には燃焼装置本体との流路を断続する往き側断続弁が設けられ、さらに往き側断続弁よりも端末往き側接続口側の部位が分岐されていて分岐側の流路を開閉する往き側分岐弁が設けられ、前記戻り側内部配管には燃焼装置本体との流路を断続する戻り側断続弁が設けられ、さらに戻り側断続弁よりも端末戻り側接続口側の部位が分岐されていて分岐側の流路を開閉する戻り側分岐弁が設けられていることを特徴とする燃焼装置。
【請求項４】
架台部にはカバーが設けられ、当該カバーはその一部又は全部が開放可能であり、前記往き側分岐弁の開口部、及び前記戻り側分岐弁の開口部が前記カバー部の開放可能部に臨んで設けられたことを特徴とする請求項３に記載の燃焼装置。
【請求項５】
架台部にはカバーが設けられ、当該カバーはその一部又は全部が開放可能であり、前記往き側分岐弁の開口部、及び前記戻り側分岐弁の開口部が前記カバー部の開放可能部に臨んで設けられ、且つ前記往き側分岐弁の開口部、及び前記戻り側分岐弁の開口部は前記カバー部の開放可能部の方向を向いて配置され、あるいは前記往き側分岐弁の開口部、及び前記戻り側分岐弁の開口部は前記カバー部の開放可能部の方向に対して横方向を向いて配置されていることを特徴とする請求項３に記載の燃焼装置。
【請求項６】
燃焼装置内に膨張タンク及び循環回路の圧力を検知する圧力計が設けられたことを特徴とする請求項１乃至５のいずれかに記載の燃焼装置。
【発明の詳細な説明】
【０００１】
【発明の属する技術分野】
本発明は燃焼装置に関するものであり、特に熱媒体を加熱すると共に、加熱された熱媒体を床暖房等の暖房端末に圧送して循環させる構造の燃焼装置に関するものである。
【０００２】
【従来の技術】
床暖房は頭寒足熱の理にかない、心地よいため近年では一般家庭にも普及している。
家庭で使用される床暖房は、室内又は屋外に燃焼装置を設け、当該燃焼装置によって熱媒体を加熱し、屋内の床暖房機器に熱媒体を循環させる構造となっている。
そのため床暖房を導入する際には、燃焼装置及び床暖房機器で構成される一連の熱媒循環回路内に熱媒体を満たす作業が必須である。
【０００３】
そこで従来技術においては、一連の循環回路の一部であって燃焼装置の外部の流路の一部に分岐部を設け、当該分岐部から熱媒体を注入していた。
【０００４】
【発明が解決しようとする課題】
しかしながら従来技術の方策は、作業性が悪く熱媒体の注入は面倒な作業であった。そこで本発明は、従来技術の上記した問題点に注目し、熱媒体の注入作業を容易に行うことができる燃焼装置を提案することを課題とするものである。
【０００５】
【課題を解決するための手段】
そして上記した課題を解決するための請求項１に記載の発明は、燃焼部と、熱交換部を内蔵し、内部の熱交換部が外部の暖房端末と接続されて一連の循環回路を形成する燃焼装置において、内部の熱交換部から外部の暖房端末に熱媒体を流す熱媒体往き側配管の一部に流路を断続する往き側断続弁が設けられ、さらに往き側断続弁の下流側が分岐されていて分岐側の流路を開閉する往き側分岐弁が設けられ、外部の暖房端末側から内部の熱交換部に熱媒体を戻す熱媒体戻り側配管の一部には流路を断続する戻り側断続弁が設けられ、さらに戻り側断続弁の上流側が分岐されていて分岐側の流路を開閉する戻り側分岐弁が設けられていることを特徴とする燃焼装置である。
【０００６】
本発明の燃焼装置を暖房端末に接続し、循環回路内に熱媒体を満たす場合は、次の要領で作業を行う。
すなわち往き側分岐弁又は戻り側分岐弁のいずれか一方に熱媒体注入装置を接続し、往き側分岐弁及び戻り側分岐弁の双方を開放する。そして熱媒体注入装置から熱媒体往き側配管又は戻り側配管に熱媒体を注入する。また他方側から内部の空気を排出させる。
本発明の燃焼装置では、燃焼装置側と、暖房端末側に対して個別に熱媒体を注入することができる。すなわち本発明では、熱媒体往き側配管に往き側断続弁が設けられ、熱媒体戻り側配管にも戻り側断続弁が設けられている。そしてこれらの断続弁は、いずれも分岐弁よりも熱交換器側の位置に設けられている。そのため二つの断続弁を閉止すると、熱媒体は暖房端末側にだけ流れ、暖房端末に対して個別に熱媒体を注入することができる。また暖房端末は、一般に開閉弁を持っているから、暖房端末側の開閉弁を閉じると共に燃焼装置側の断続弁を開くと、熱媒体は燃焼装置側にだけ流れ、燃焼装置に対して個別に熱媒体を注入することが可能となる。
そして熱媒体の注入を終えると、双方の分岐弁を閉じると共に往き側断続弁と戻り側断続弁を開く。その結果、循環回路の分岐部が閉じると共に熱交換器と暖房端末を繋ぐ一連の循環回路が開通する。
【０００７】
請求項２に記載の発明は、往き側断続弁の下流側が分岐されて形成された分岐側の流路、及び戻り側断続弁の上流側が分岐されて形成された分岐側の流路は、端部がいずれも燃焼装置内にあることを特徴とする請求項１に記載の燃焼装置である。
【０００８】
本発明の燃焼装置では、熱交換部から暖房端末に熱媒体を流す熱媒体往き側配管の一部に分岐部が設けられ、さらに暖房端末側から熱交換部に熱媒体を戻す熱媒体戻り側配管の一部にも分岐部が設けられており、両分岐部の端部がいずれも燃焼装置内にある。そのため本発明の構成によると、熱媒体の注入作業に際して新たに分岐部を設ける必要がない。
【０００９】
また請求項３に記載の発明は、燃焼装置本体部と当該燃焼装置本体部を支持する架台部を有し、燃焼装置本体部側には燃焼部と、熱交換部と、熱媒体往き側接続口及び熱媒体戻り側接続口が設けられ、架台部側には前記熱媒体往き側接続口及び熱媒体戻り側接続口と外部の暖房端末を接続する配管が配された燃焼装置において、前記架台内に熱媒体往き側接続口と外部の暖房端末に接続する端末往き側接続口を有する往き側内部配管が設けられ、さらに前記架台内には熱媒体戻り側接続口と外部の暖房端末に接続する端末戻り側接続口を有する戻り側内部配管が設けられ、前記往き側内部配管には燃焼装置本体との流路を断続する往き側断続弁が設けられ、さらに往き側断続弁よりも端末往き側接続口側の部位が分岐されていて分岐側の流路を開閉する往き側分岐弁が設けられ、前記戻り側内部配管には燃焼装置本体との流路を断続する戻り側断続弁が設けられ、さらに戻り側断続弁よりも端末戻り側接続口側の部位が分岐されていて分岐側の流路を開閉する戻り側分岐弁が設けられていることを特徴とする燃焼装置である。
【００１０】
本発明の燃焼装置を暖房端末に接続し、循環回路内に熱媒体を満たす場合の作業は上記した発明と同様である。
すなわちいずれか一方の分岐弁に熱媒体注入装置を接続しさらに分岐弁を二つ共開放して熱媒体注入装置から循環回路内に熱媒体を注入する。
本発明の燃焼装置についても、燃焼装置側と、暖房端末側に対して個別に熱媒体を注入することができる。すなわち本発明では、架台内に、熱媒体往き側接続口に繋がる往き側内部配管と、熱媒体戻り側接続口に繋がる戻り側内部配管が設けられている。そのため本発明では、燃焼装置の熱媒体往き側配管と熱媒体戻り側配管が架台内に延長されている。そして本発明では、往き側内部配管に燃焼装置本体との流路を断続する往き側断続弁が設けられ、戻り側内部配管にも同様に戻り側断続弁が設けられている。また往き側内部配管と、戻り側内部配管にはそれぞれ分岐弁が設けられている。
すなわち本発明では、架台内に延長された熱媒体往き側配管に往き側断続弁が設けられ、熱媒体戻り側配管にも戻り側断続弁が設けられ、これら二つの断続弁は、いずれも分岐弁よりも熱交換器側の位置に設けられている。そのため二つの断続弁を閉止すると、熱媒体は暖房端末側にだけ流れ、暖房端末に対して個別に熱媒体を注入することができる。また暖房端末は、一般に開閉弁を持っているから、暖房端末側の開閉弁を閉じる共に燃焼装置側の断続弁を開くと、熱媒体は燃焼装置側にだけ流れ、燃焼装置に対して個別に熱媒体を注入することが可能となる。
そして熱媒体の注入を終えると、双方の分岐弁を閉じると共に往き側断続弁と戻り側断続弁を開く。その結果、循環回路の分岐部が閉じると共に熱交換器と暖房端末を繋ぐ一連の循環回路が開通する。
また本発明の燃焼装置では、燃焼装置本体部と当該燃焼装置本体部を支持する架台部を有し、架台部側に往き側内部配管及び戻り側内部配管が内蔵され、当該往き側内部配管及び戻り側内部配管に断続弁及び分岐弁が設けられている。そのため本発明は、空間を有効に活用することができる。
【００１１】
また請求項４に記載の発明は、架台部にはカバーが設けられ、当該カバーはその一部又は全部が開放可能であり、前記往き側分岐弁の開口部、及び前記戻り側分岐弁の開口部が前記カバー部の開放可能部に臨んで設けられたことを特徴とする請求項３に記載の燃焼装置である。
ここで「分岐弁の開口部がカバー部の開放可能部に臨んで設けられている」とは、開放部から届く範囲といった趣旨である。また分岐弁の開口部とは熱媒体を注入する際の機器接続口を指す趣旨である。
【００１２】
本発明の燃焼装置では、架台部にカバーが設けられている。そのため断続弁等が隠され、妄りに操作することができず、安全である。
また本発明では、カバーは一部又は全部が開放可能であり、分岐弁の開口部がカバー部の開放可能部に臨んで設けられている。そのため本発明によると、熱媒体を注入する際の機器接続が容易である。
【００１３】
また請求項５に記載の発明は、架台部にはカバーが設けられ、当該カバーはその一部又は全部が開放可能であり、前記往き側分岐弁の開口部、及び前記戻り側分岐弁の開口部が前記カバー部の開放可能部に臨んで設けられ、且つ前記往き側分岐弁の開口部、及び前記戻り側分岐弁の開口部は前記カバー部の開放可能部の方向を向いて配置され、あるいは前記往き側分岐弁の開口部、及び前記戻り側分岐弁の開口部は前記カバー部の開放可能部の方向に対して横方向を向いて配置されていることを特徴とする請求項３に記載の燃焼装置である。
【００１４】
本発明の燃焼装置においても架台部にカバーが設けられており、断続弁等が隠されて妄りに操作することができず、安全である。
また本発明でも、カバーは一部又は全部が開放可能であり、分岐弁の開口部がカバー部の開放可能部に臨んで設けられているので熱媒体を注入する際の機器接続が容易である。
さらに本発明では、各分岐弁の開口部がカバー部の開放可能部の方向を向いて配置され、あるいは開放可能部の方向に対して横方向を向いて配置されている。ここで分岐弁をカバー部の開放可能部の方向を向いて配置するレイアウトは、開放可能部の背面側の壁から室内に配管を導入する場合に推奨される。また分岐弁をカバー部の開放可能部に対して横方向を向いて配置するレイアウトは、開放可能部に対して横方向の壁から室内に配管を導入する場合に推奨される。
【００１５】
さらに請求項６に記載の発明は、燃焼装置内に膨張タンク及び循環回路の圧力を検知する圧力計が設けられたことを特徴とする請求項１乃至５のいずれかに記載の燃焼装置である。
【００１６】
膨張タンクを有する構造の燃焼装置は、比較的大量の熱媒体を内蔵するものであり、熱媒体の注入に時間がかかりがちである。そのため本発明を採用することが推奨される構成であるといえる。
また本発明の燃焼装置では、循環回路の圧力を検知する圧力計が設けられている。そのため作業者は、内部の圧力を監視しながら注入作業を行うことができる。
【００１７】
【発明の実施の形態】
続いて、本発明の一実施形態である燃焼装置について図面を参照しながら詳細に説明する。
図１は、本発明の一実施形態である燃焼装置の内部構造を示す正面図及び側面図である。なお架台内における配管部材は図示を省略している。図２は、図１に示す燃焼装置の配管系統図である。また、図３は、エアベントにベントカバー部材を装着した状態を示す破断図である。図４は、本発明の実施形態の要部の配管系統図である。図５は、図１の燃焼装置で採用する架台の斜視図である。図６は、図１の燃焼装置で採用する支持部材の斜視図である。図７は、図１の燃焼装置で採用するカバー部材の斜視図である。図８は、本発明の実施形態の要部の実体配管図である。図９は、本発明の実施形態の要部の立体配管図である。図１０は、本発明の実施形態の要部の実体配管図である。図１１、図１２は、本発明の他の実施形態の要部の実体配管図である。
【００１８】
本発明の実施形態における燃焼装置は、大きく燃焼装置本体部１と架台部７０によって構成されている。また架台部７０は、支持部材８０とカバー部材８１によって構成されている。
【００１９】
順次説明すると、燃焼装置本体部１は、貯湯式給湯器であり、図１の様に独立したケースを備える。
そして燃焼装置本体部１の内部には、図２の一点鎖線内で囲まれたエリア内の配管部材が内蔵されている。すなわち燃焼装置本体部１は、図２に示すように缶体部２と燃焼部３および消音器４により構成されている。また、缶体部２は、大きく燃焼空間部５と熱交換部６とに分かれている。燃焼部３と燃焼空間部５とは、熱交換部６内に貯留される熱媒体を加熱する加熱手段７として機能する。缶体部２は、全体形状が円筒形であり、２重構造となっていて内部に熱交換部６が形成されている。より具体的には、缶体部２は外筒８と内筒９とを有し、その内部に熱媒体を貯留できる構造を有する。また、特に缶体部２の上半分には、上鏡板１０と下鏡板１１とによって囲まれた大容量の熱媒体室１２が形成されている。
【００２０】
熱媒体室１２には、複数の燃焼ガス通路１３が形成されている。燃焼ガス通路１３は、熱交換部６の熱媒体室１２を軸方向に貫通する貫通孔である。また、燃焼部３は、灯油等の液体燃料の燃焼を行うバーナを備えており、燃料噴射ノズル１５が内蔵されている。また、燃焼部３は、送風機１６を具備しており、缶体部２の下方に位置する燃焼空間部５に接続されている。燃焼空間部５は、燃焼部３の燃焼室として機能する。
【００２１】
一方、缶体部２の上部には、消音器４が設けられている。消音器４は、外観が円筒状または直方体状をしており、内部がラビリンス構造となっており、燃焼音を低減させるものである。なお、図１，図２において、消音器４のラビリンス構造は図示せず省略している。
【００２２】
燃焼部３の燃料噴射ノズル１５から噴射された燃料は、燃焼空間部５内において燃焼し、高温の燃焼ガスと火炎とを発生する。燃焼ガスは、熱媒体室１２内の燃焼ガス通路１３を流れ、消音器４を通過した後、外部に排出される。熱媒体室１２内の熱媒体は、燃焼ガス通路１３を流れる高温の燃焼ガスにより加熱され、昇温する。
【００２３】
熱交換部６には、熱媒体として不凍液が貯留されている。また、熱交換部６の内部には、コイル状の熱交換器１７，１８が内蔵されている。熱交換器１７には、第１流水回路２０が接続されており、熱交換器１８には、第２流水回路２１が接続されている。また、熱交換部６には、熱交換部６内で加熱された熱媒体が循環する負荷回路２２が接続されている。
【００２４】
第１流水回路２０は、カランなどに接続され外部に湯水を流出する、いわゆる給湯回路である。第１流水回路２０は、熱交換器１７に外部から水を給水する給水回路２３と、熱交換器１７において加熱された湯水が流れ出る高温湯回路２５と、給水回路２３から分岐された流水バイパス回路２６とを有し、要求に応じて外部に湯水を供給するものである。そして流水バイパス回路２６を流れる冷水のバイパス水量と高温湯回路２５に流れる高温の湯水の量とをバイパス水量調節弁２７によって調節し、これらの湯水を混合して湯水の温度を調節する。また高温湯回路２５と流水バイパス回路２６との混合部分の下流側には、給湯回路２９が接続されている。給湯回路２９には、水量調節弁２８と出湯温度センサ３０が設けられており、出湯温度センサ３０によって検知された温度が前記したバイパス水量調節弁２７等にフィードバックされると共に、水量調節弁２８によって総水量が調節される。給水回路２３には、水量センサ３１と、水温センサ３２が設けられ、高温湯の温度が８０℃程度となる様に燃焼部３の発熱量が調節される。また、給水回路２３には、給湯用膨張タンク３３が設けられている。給湯膨張タンク３３は、密閉型の膨張タンクであり、給湯を停止するなどした際の湯水の圧力変動を吸収するものである。
【００２５】
給湯回路２９には、後述するバイパス水路３７に繋がる注湯バイパス回路４７が設けられている。注湯バイパス回路４７は、浴槽７２に湯を落とし込むための回路であり、中途に注湯電磁弁４８と、注湯水量センサ５０と、逆止弁５１，５２が設けられている。注湯水量センサ５０は、注湯バイパス回路４７を流れる水量を検知するものであり、この検知信号に基づき注湯電磁弁４８を開閉することにより、浴槽内に貯留される湯水の量が調整される。また、逆止弁５１，５２は、浴槽７２側からの湯水の逆流を防止するものである。
【００２６】
第２流水回路２１は、いわゆる追い焚き回路であり、熱交換器１８側から浴槽７２へ湯水を送る往き側回路３５と、浴槽７２から熱交換器１８側に湯水を戻す戻り側回路３６とを有し、往き側回路３５と戻り側回路３６との間には、両者をバイパスするバイパス水路３７が設けられている。また、往き側回路３５には、当該往き側回路３５内に溜まった湯水を必要に応じて排出するための水抜回路３８が設けられている。
【００２７】
そして戻り側回路３６には、水位センサ４０と、循環ポンプ４１、水流スイッチ４３および湯温センサ４５が設けられている。また、戻り側回路３６とバイパス水路３７との分岐部には三方弁４６が設けられており、必要に応じて三方弁４６が開閉される。すなわち、浴槽内に湯水を張る場合には、三方弁４６はバイパス水路３７と循環ポンプ４１とを連通し、熱交換器１８を閉止する。また、浴槽内の湯水を追い焚きする場合は、三方弁４６は熱交換器１８と循環ポンプ４１とを連通し、バイパス水路３７を閉止する。
【００２８】
また燃焼装置本体部１の内部には、熱交換部６から外部の暖房端末（床暖房装置やファンコンベクタ等）５５に熱媒体を流出する熱媒体往き配管５６と、暖房端末５５から熱交換部６に熱媒体を戻す熱媒体戻り配管５７が設けられている。そして熱媒体往き配管５６の中途には、一連の循環回路内を流れる熱媒体を圧送するための循環ポンプ５８が設けられている。循環ポンプ５８は吸い込み側が熱交換部６側に接続され、循環ポンプ５８の吐出側は熱媒体往き側接続口７３を介して暖房端末５５側に接続されている。
【００２９】
一連の循環回路には、熱媒体往き配管５６の中途で循環ポンプ５８より下流側と、熱交換部６とをバイパスするポンプ保護バイパス回路６０が設けられている。ポンプ保護バイパス回路６０は、循環回路を構成する他の配管に比べて開口面積が小さく、流路抵抗が高い。ポンプ保護バイパス回路６０は、暖房端末５５が駆動停止した際に循環ポンプ５８による圧力をリークするためのものである。すなわち、ポンプ保護バイパス回路６０は、暖房端末５５が停止中に循環ポンプ５８により圧送される熱媒体を熱交換部６に戻す回路であり、循環ポンプ５８のモータの焼き付きを防止する保護手段として機能する。また、熱媒体戻り配管５７の中途には、膨張タンク接続口６９が設けられている。なお膨張タンク接続口６９は、架台部７０内に設置された循環用膨張タンク６１に接続される。循環用膨張タンク６１は、循環回路内を流れる熱媒体の温度変化による膨張・収縮を吸収し、循環回路内を所定の圧力に保つためのものである。
【００３０】
熱交換部６には、熱交換部６内の熱媒体の温度を測定するための温度センサ６２が設けられている。温度センサ６２はサーミスタである。温度センサ６２の検知温度に基づいて燃焼部３が駆動し、熱交換部６内の熱媒体は沸騰しない程度の温度に維持されている。
【００３１】
熱交換部６の上方側には、エアベント６５がエアベント接続管６６を介して接続されている。エアベント６５には、図３に示すようなベントカバー部材６４が装着されている。
【００３２】
燃焼装置本体部１は、水に関する接続口として、給湯接続口７５、給水接続口７６、風呂往き接続口７７、風呂戻り接続口７８の４接続口を持ち、熱媒体に関する接続口として熱媒体往き側接続口７３、熱媒体戻り側接続口７９及び膨張タンク接続口６９の３接続口を持つ。またさらに燃料供給口７４を持つ。そしてこれら８個の接続口６９，７３，７４，７５，７６，７７，７８，７９は、図２の様にいずれも燃焼装置本体部１の底面部に集中して設けられている。
【００３３】
一方、架台部７０は、支持部材８０とカバー部材８１によって構成されている。ここで支持部材８０は、「Ｌ」型鋼等を溶接して作られたものであり、水平に配される支持部８２と、垂直に配される取付け部８３を有する。言い換えれば、鋼で作られた「Ｌ」字状の部材の角部同士を接続桟８４で接続したものである。
そして上記した「Ｌ」字状の部位には、三角形の板体８５が溶接されている。したがって支持部材８０は、上面部たる支持部８２が略「コ」の字状であり、その一端側から垂直に２本の取付け部８３が垂下した形状となっている。
支持部材８０は、アンカーボルト８６等によって壁に頑丈に取り付けられる。そして前記した燃焼装置本体部１が載置される。
【００３４】
カバー部材８１は、図７に示すように略箱型をした立体形状であり、底板部材８７、右側面板部材８８、左側面板部材８９及び正面板部材９０を有する。
カバー部材８１の天面側は開放されている。カバー部材８１の裏面側についても開放されているが、下部には高さの低い裏板部材９１が設けられている。
カバー部材８１の正面板部材９０は、図７の様にネジ９２によって桟９３等に取り付けられており、カバー部材８１の正面板部材９０は取り外し可能であり、正面板部材９０を開放することができる。
なおカバー部材８１は、燃焼装置本体部１の設置場所における床仕上げが完了した後に取り付けられる。
【００３５】
架台部７０の内部には、浴槽７２や暖房端末５５に至る配管の一部が内蔵されている。
すなわち架台部７０の内部には、給湯接続口７５からカラン等に至る配管の一部９５と、風呂往き接続口７７から浴槽７２に至る配管の一部９６、風呂戻り接続口７８から浴槽７２に至る配管の一部９７、熱媒体往き側接続口７３から暖房端末５５に至る配管の一部９８（以下往き側内部配管９８）、熱媒体戻り側接続口７９から暖房端末５５に至る配管の一部９９（以下戻り側内部配管９９）が内蔵されている。
さらに本実施形態では、架台部７０内部に循環用膨張タンク６１が内蔵され、膨張タンク接続口６９から循環用膨張タンク６１に至る配管１００についても内蔵されている。また循環用膨張タンク６１に至る配管１００には圧力計１０１と安全弁１０２が付属している。圧力計１０１及び安全弁１０２の上流側には手動弁１２５が設けられている。
【００３６】
そしてここで特記すべき事項は、架台部７０内に設けられた往き側内部配管９８と戻り側内部配管９９の構造である。すなわち往き側内部配管９８は、熱媒体往き側接続口７３に接続される接続口と、暖房端末側に接続する端末往き側接続口１３０を持つが、本実施形態では、図２の様に往き側戻り配管９８に分岐部１０３が設けられ、当該分岐部分に往き側分岐弁１０５が設けられている。ここで往き側分岐弁１０５は、手動のボールバルブであり、分岐側の流路を開閉する機能を持つ。
【００３７】
また往き側分岐弁１０５よりも流路的に熱媒体往き側接続口７３寄りの部位には往き側断続弁１０６が設けられている。往き側断続弁１０６についても手動のボールバルブであり、燃焼装置本体部１との流路を断続する機能を備える。
すなわち熱交換部６から暖房端末５５に熱媒体を流す熱媒体往き配管５６の一部たる往き側内部配管９８に流路を断続する往き側断続弁１０６が設けられ、さらに往き側断続弁１０６の下流側が分岐されていて分岐側の流路を開閉する往き側分岐弁１０５が設けられている。
【００３８】
同様に架台部７０内に設けられた戻り側内部配管９９は、熱媒体戻り側接続口７９に接続される接続口と、暖房端末側に接続する端末戻り側接続口１３１を持つが、その中途に分岐部１１０が設けられ、当該分岐部１１０に戻り側分岐弁１１１が設けられている。ここで戻り側分岐弁１１１は、手動のボールバルブであり、分岐側の流路を開閉する機能を持つ。
【００３９】
また戻り側分岐弁１１１よりも熱媒体戻り側接続口７９寄りの部位には戻り側断続弁１１２が設けられている。戻り側断続弁１１２についても手動のボールバルブであり、燃焼装置本体部１との流路を断続する機能を備える。
すなわち暖房端末５５から熱交換部６に熱媒体を戻す熱媒体戻り配管５７の一部たる戻り側内部配管９９に流路を断続する戻り側断続弁１１２が設けられ、さらに戻り側断続弁１１２の上流側（暖房端末側）が分岐されていて分岐側の流路を開閉する戻り側分岐弁１１１が設けられている。
【００４０】
図９に示す立体配管図及び図８，図１１に示す実体配管図を参照しつつ説明すると、架台部７０の天面側からは給湯接続口７５、給水接続口７６、風呂往き接続口７７、風呂戻り接続口７８、熱媒体往き側接続口７３、熱媒体戻り側接続口７９、膨張タンク接続口６９及び燃料供給口７４が垂下している。
【００４１】
そしてこの内の熱媒体往き側接続口７３と熱媒体戻り側接続口７９に往き側内部配管９８と戻り側内部配管９９が接続されている。
ここで往き側内部配管９８は、図８，９に示すように三叉部１１５を持ち、当該三叉部１１５によってＡ部、Ｂ部、Ｃ部に分かれている。すなわちＡ部とＢ部は直線的に結ばれ、Ｃ部はこれらに対して垂直方向を向いている。またＢ部の先端側は、垂直方向に曲がっている。
そしてＡ部に往き側断続弁１０６が設けられている。またＢ部の先端に往き側分岐弁１０５が設けられている。
往き側内部配管９８は、図８，９，１１に示すようにＡ部の端部が熱媒体往き側接続口７３に接続され、これに垂直に取り付けられたＣ部は壁に設けられた貫通孔１２０を経て室内の暖房端末５５に接続されている。また往き側内部配管９８のＢ部は、正面側から見て右側に曲がり、架台部７０の広い空間側に向かって開口している。
【００４２】
戻り側内部配管９９についても同様であり、図８，９に示すように三叉部１１６を持ち、当該三叉部１１６によってＡ部、Ｂ部、Ｃ部に分かれている。すなわちＡ部とＢ部は直線的に結ばれ、Ｃ部はこれらに対して垂直方向を向いている。またＢ部の先端側は、垂直方向に曲がっている。
そしてＡ部に戻り側断続弁１１２が設けられている。またＢ部の先端に戻り側分岐弁１１１が設けられている。
戻り側内部配管９９は、図８，９，１１に示すようにＡ部の端部が熱媒体戻り側接続口７９に接続され、これに垂直に取り付けられたＣ部は壁に設けられた貫通孔１２０を経て室内の暖房端末５５に接続されている。また戻り側内部配管９９のＢ部は、正面側から見て右側に曲がり、架台部７０の広い空間側に向かって開口している。
【００４３】
また循環用膨張タンク６１は、架台部７０の床面に設置され、膨張タンク接続配管１００によって接続されている。すなわち膨張タンク接続配管１００は、膨張タンク接続口６９と膨張タンク６１を接続するものであり、その中途に圧力計１０１と安全弁１０２が取り付けられている。
【００４４】
次に本実施形態の燃焼装置に対して熱媒体を注入する作業を作業手順を追って説明する。
すなわち準備段階として往き側分岐弁１０５又は戻り側分岐弁１１１のいずれか一方に熱媒体注入装置１２１を接続する。例えば図２、図４に示す様に往き側分岐弁１０５に熱媒体注入装置１２１を接続する。ここで熱媒体注入装置１２１は受水槽１２２とポンプ１２３を備えるものであり、ポンプ１２３の吐出側を往き側分岐弁１０５に接続する。一方、戻り側分岐弁１１１から排出される熱媒体が受水槽１２２に戻る様に戻り側分岐弁１１１が受水槽１２２に接続される。
【００４５】
この時、往き側分岐弁１０５および戻り側分岐弁１１１はいずれも開いておく。また架台部７０内の往き側断続弁１０６及び戻り側断続弁１１２は閉じておく。一方、暖房端末側のヘッダーの弁１２６，１２７（図４）は開いておく。なお図４の様に複数の暖房端末に分岐されている場合は、分岐部の弁１３２，１３３を操作して一つの暖房端末の流路だけを開き、他の流路は閉じておく。
【００４６】
そして熱媒体注入装置１２１のポンプ１２３を起動し、システムの循環回路内に熱媒体を注入する。
熱媒体は、往き側内部配管９８のＢ側端部から循環回路の中に入るが、燃焼装置本体側の流路は往き側断続弁１０６によって閉じられているので、熱媒体は、分岐部１０３（１０５）からＣ側に流れ、室内に入って暖房端末５５に流れる。
【００４７】
そして暖房端末５５内を熱媒体が満たし、残余の熱媒体が戻り側分岐部１１０から戻り側内部配管９９内に入る。ここでも燃焼装置本体部１側の流路は戻り側断続弁１１２によって閉じられているので、熱媒体は、分岐部１１０からＢ側に流れ、外部に排出されて受け水槽１２２に戻る。なお勿論暖房端末内の空気は戻り側内部配管９９を経て外部に排出される。
そして暖房端末５５の内内部を完全に熱媒体で置換するために、数分間、ポンプを動作し続ける。
【００４８】
所定の時間が経過すると、暖房端末５５側の分岐部の弁１３２，１３３を操作して次の暖房端末５５に熱媒体を注入する。
そしてすべての暖房端末５５に対して熱媒体の注入を終えると、暖房端末５５側の弁１２６，１２７を閉じ、代わって架台部７０内の往き側断続弁１０６及び戻り側断続弁１１２を開く。そしてこのとき、エアベント６５を開く。その結果、熱媒体が燃焼装置本体部１側に流れる。そして熱媒体は熱交換部６や内部の配管を満たす。なお本実施形態では、架台部７０の内部に循環回路に接続された圧力計１０１が設けられているから、循環回路内の圧力を監視しながら熱媒体の注入を行うことができる。
燃焼装置本体側の回路内の空気は、先と同様に戻り側内部配管９９を経て外部に排出される。またエアベント６５からも空気が排出される。
【００４９】
全ての経路に熱媒体が満たされると、往き側分岐弁１０５及び戻り側分岐弁１１１を閉じる。また熱媒体注入装置１２１を取り外すと共にエアベント６５を閉じる。
【００５０】
以上の工程をもって熱媒体の注入作業が終了する。
以上説明した架台部７０内の配管レイアウトは、燃焼装置の背面に建屋の壁があり、背面の壁に貫通孔を設けて配管を敷設する場合に好適であるが、もちろん本発明は、上記したレイアウトにこだわるものではない。
配管レイアウトは任意ではあるが、推奨すべきレイアウトとして他に図１１，図１２に挙げるものがある。
図１１に示すレイアウトは、燃焼装置をベランダのコーナ部等に設置する場合であって左側の壁を貫通して室内と連通させる場合に推奨されるレイアウトである。図１１に示すレイアウトでは、往き側分岐弁１０５及び戻り側分岐弁１１１は、いずれも正面側に向かって開口する。
また図１２に示すレイアウトは、燃焼装置をベランダのコーナ部等に設置する場合であって右側の壁を貫通して室内と連通させる場合に推奨されるレイアウトである。図１２に示すレイアウトにおいても往き側分岐弁１０５及び戻り側分岐弁１１１は、いずれも正面側に向かって開口する。なお図１１，１２において１３０，１３１は、端末往き側接続口，端末戻り側接続口である。
【００５１】
【発明の効果】
以上説明した様に、本発明の燃焼装置によると、熱媒体の注入作業が格段に容易となる。
特に請求項１、請求項３に記載の燃焼装置では、簡単な弁操作によって燃焼装置側と暖房端末側に個別に熱媒体を注入することができる。
【００５２】
また請求項２に記載の燃焼装置では、熱交換部から暖房端末に熱媒体を流す熱媒体往き側配管の一部に分岐部が設けられ、さらに交換端末側から熱交換部に熱媒体を戻す熱媒体戻り側配管の一部にも分岐部が設けられ、両分岐部の端部がいずれも燃焼装置内にあるから注入作業時に、新たに分岐部を設ける必要がない。
【００５３】
さらに請求項３に記載の燃焼装置では、空間の有効利用を図ることができる効果がある。
【００５４】
また請求項４に記載の燃焼装置では、架台部にカバーが設けられているので、断続弁等が隠され、妄りに操作することができず、安全である。
【００５５】
また請求項５に記載の燃焼装置についても、架台部にカバーが設けられているので、断続弁等が隠され、妄りに操作することができず、安全である。さらに本発明の配管レイアウトによると、熱媒体を注入する際の機器の接続が容易である。
【００５６】
さらに請求項６に記載の発明は、膨張タンクを有する構造の燃焼装置に本発明を採用したものであり、熱媒体の注入時間が短縮される効果があり、加えて循環回路の圧力を検知する圧力計が設けられているので、作業者は、内部の圧力を監視しながら注入作業を行うことができる効果がある。
【図面の簡単な説明】
【図１】  本発明の一実施形態である燃焼装置の内部構造を示す正面図及び側面図である。
【図２】  図１に示す燃焼装置の配管系統図である。
【図３】  エアベントにベントカバー部材を装着した状態を示す破断図である。
【図４】  本発明の実施形態の要部の配管系統図である。
【図５】  図１の燃焼装置で採用する架台の斜視図である。
【図６】  図１の燃焼装置で採用する支持部材の斜視図である。
【図７】  図１の燃焼装置で採用するカバー部材の斜視図である。
【図８】  本発明の実施形態の要部の実体配管図である。
【図９】  本発明の実施形態の要部の立体配管図である。
【図１０】  本発明の実施形態の要部の実体配管図である。
【図１１】  本発明の他の実施形態の要部の実体配管図である。
【図１２】  本発明の他の実施形態の要部の実体配管図である。
【符号の説明】
１  燃焼装置本体部
７０  架台部
７３  熱媒体往き側接続口
７９  熱媒体戻り側接続口
９８  往き側内部配管
９９  戻り側内部配管
１０１  圧力計
１０５  往き側分岐弁
１０６  往き側断続弁
１１１  戻り側分岐弁
１１２  戻り側断続弁
１３０  端末往き側接続口
１３１  端末戻り側接続口
【図１】
0003956108.tif 000002
【図２】
0003956108.tif 000003
【図３】
0003956108.tif 000004
【図４】
0003956108.tif 000005
【図５】
0003956108.tif 000006
【図６】
0003956108.tif 000007
【図７】
0003956108.tif 000008
【図８】
0003956108.tif 000009
【図９】
0003956108.tif 000010
【図１０】
0003956108.tif 000011
【図１１】
0003956108.tif 000012
【図１２】
0003956108.tif 000013